【手続補正書】
【提出日】平成26年7月25日(2014.7.25)
【手続補正１】
【補正対象書類名】明細書
【補正対象項目名】０１１２
【補正方法】変更
【補正の内容】
【０１１２】
次に、メディア（メモリカード）は、ステップＳ１１７において、先の認証処理に際してホスト（再生装置）から受領したホスト証明書（Ｈｏｓｔ  Ｃｅｒｔ）のタイプ情報を参照して、ホスト（再生装置）から受領したホスト証明書（Ｈｏｓｔ  Ｃｅｒｔ）が、ホストの要求しているタイトルキーに対応するコンテンツの種類に対応する対応コンテンツタイプ情報を記録したホスト証明書（Ｈｏｓｔ  Ｃｅｒｔ）であるか否かを判定する。
【手続補正２】
【補正対象書類名】明細書
【補正対象項目名】０１１３
【補正方法】変更
【補正の内容】
【０１１３】
例えば、図７に示す２つの種類のホスト証明書（Ｈｏｓｔ  Ｃｅｒｔ）が利用可能な構成であると仮定する。
再生予定コンテンツが通常コンテンツであり、ホストの要求するタイトルキーが通常コンテンツに対応するタイトルキーである場合は、
ホストから受信したホスト証明書が、図７に示す以下の２つの証明書、
（Ａ）高付加価値コンテンツと通常コンテンツの双方のコンテンツ再生に利用可能なホスト証明書（Ｈｏｓｔ  Ｃｅｒｔ）
（Ｂ）通常コンテンツのみのコンテンツ再生に利用可能なホスト証明書（Ｈｏｓｔ  Ｃｅｒｔ）
これらの２種類のホスト証明書（Ｈｏｓｔ  Ｃｅｒｔ）のいずれでも、ステップＳ１１７の判定はＹｅｓとなる。
【手続補正３】
【補正対象書類名】明細書
【補正対象項目名】０１２３
【補正方法】変更
【補正の内容】
【０１２３】
すなわち、再生プログラムが、
通常コンテンツ対応の再生プログラム、
高付加価値コンテンツ対応の再生プログラム、
このように、コンテンツの種類に応じた専用のプログラムとして設定され、各再生プログラムに対して利用可能なホスト証明書（Ｈｏｓｔ  Ｃｅｒｔ）を１つずつ割り当てた構成を前提としていた。
【手続補正４】
【補正対象書類名】明細書
【補正対象項目名】０１２５
【補正方法】変更
【補正の内容】
【０１２５】
すなわち、再生プログラムの処理として、コンテンツ種類を判別して、判別したコンテンツ種類に応じて、
（Ａ）高付加価値コンテンツと通常コンテンツの双方のコンテンツ再生に利用可能なホスト証明書（Ｈｏｓｔ  Ｃｅｒｔ）
（Ｂ）通常コンテンツのみのコンテンツ再生に利用可能なホスト証明書（Ｈｏｓｔ  Ｃｅｒｔ）
これらの２種類のホスト証明書（Ｈｏｓｔ  Ｃｅｒｔ）のいずれかを選択して利用する。
【手続補正５】
【補正対象書類名】明細書
【補正対象項目名】０１２８
【補正方法】変更
【補正の内容】
【０１２８】
なお、先の図９〜図１１に示すフローの処理では、起動プログラムは、コンテンツの種類（高付加価値／通常）に応じて異なっていたが、本処理例では、起動プログラムは、選択コンテンツの種類（高付加価値／通常）に応じて変更されない。
【手続補正６】
【補正対象書類名】明細書
【補正対象項目名】０１３９
【補正方法】変更
【補正の内容】
【０１３９】
次に、メディア（メモリカード）は、ステップＳ２１７において、先の認証処理に際してホスト（再生装置）から受領したホスト証明書（Ｈｏｓｔ  Ｃｅｒｔ）のタイプ情報を参照して、ホスト（再生装置）から受領したホスト証明書（Ｈｏｓｔ  Ｃｅｒｔ）が、ホストの要求しているタイトルキーに対応するコンテンツの種類に対応する対応コンテンツタイプ情報を記録したホスト証明書（Ｈｏｓｔ  Ｃｅｒｔ）であるか否かを判定する。
【手続補正７】
【補正対象書類名】明細書
【補正対象項目名】０１４０
【補正方法】変更
【補正の内容】
【０１４０】
例えば、図７に示す２つの種類のホスト証明書（Ｈｏｓｔ  Ｃｅｒｔ）が利用可能な構成であると仮定する。
再生予定コンテンツが通常コンテンツであり、ホストの要求するタイトルキーが通常コンテンツに対応するタイトルキーである場合は、
ホストから受信したホスト証明書が、図７に示す以下の２つの証明書、
（Ａ）高付加価値コンテンツと通常コンテンツの双方のコンテンツ再生に利用可能なホスト証明書（Ｈｏｓｔ  Ｃｅｒｔ）
（Ｂ）通常コンテンツのみのコンテンツ再生に利用可能なホスト証明書（Ｈｏｓｔ  Ｃｅｒｔ）
これらの２種類のホスト証明書（Ｈｏｓｔ  Ｃｅｒｔ）のいずれでも、ステップＳ２１７の判定はＹｅｓとなる。
【手続補正８】
【補正対象書類名】明細書
【補正対象項目名】０１４２
【補正方法】変更
【補正の内容】
【０１４２】
ホスト（再生装置）から受領したホスト証明書（Ｈｏｓｔ  Ｃｅｒｔ）が、ホストの要求しているタイトルキーに対応するコンテンツの種類に対応する対応コンテンツタイプ情報を記録したホスト証明書（Ｈｏｓｔ  Ｃｅｒｔ）であると判定されるとステップＳ２１７の判定はＹｅｓとなり、ステップＳ２１８に進む。
【手続補正９】
【補正対象書類名】明細書
【補正対象項目名】０１４３
【補正方法】変更
【補正の内容】
【０１４３】
次に、メディア（メモリカード）は、ステップＳ２１８において、先の認証処理に際してホスト（再生装置）から受領したホスト証明書（Ｈｏｓｔ  Ｃｅｒｔ）の保護領域アクセス権情報を参照して、ホストの要求するタイトルキーの格納領域、すなわち保護領域の区分領域が、データ読み取り許容領域として設定されているか否かを確認する。
【手続補正１０】
【補正対象書類名】明細書
【補正対象項目名】０１７１
【補正方法】変更
【補正の内容】
【０１７１】
メディア（メモリカード）が、ホスト（再生装置）が記録再生専用器であることを確認した場合は、図１７の左側に示す、
（１）ホスト＝記録再生専用器の処理が実行される。
一方、メディア（メモリカード）が、ホスト（再生装置）がＰＣまたは携帯端末であることを確認した場合は、図１７の右側に示す、
（２）ホスト＝ＰＣ／携帯端末の処理が実行される。
【手続補正１１】
【補正対象書類名】明細書
【補正対象項目名】０１８８
【補正方法】変更
【補正の内容】
【０１８８】
次に、ステップＳ３５５において、メディア（メモリカード）３２０から読み出したメディアＩＤ−ＭＡＣ３２１と、ステップＳ３５４で算出したＭＡＣ値との照合処理を実行する。
この照合処理において、メディア（メモリカード）３２０から読み出したメディアＩＤ−ＭＡＣ３２１と、ステップＳ３５４で算出した算出ＭＡＣ値が一致すれば、ＭＡＣ照合成立となり、メディア（メモリカード）３２０の正当性が確認されたものと判定され、ステップＳ３５６のタイトルキーを適用した暗号化コンテンツの復号処理に進む。
【手続補正１２】
【補正対象書類名】明細書
【補正対象項目名】０２１１
【補正方法】変更
【補正の内容】
【０２１１】
また、メディア（メモリカード）は、ホスト証明書（Ｈｏｓｔ  Ｃｅｒｔ）に基づいて、ホスト（再生装置）の種類を確認可能となり、ホスト（再生装置）に応じたコンテンツの利用制御を実行することも可能となる。
例えば、特定コンテンツについては、記録再生機器でのみ利用可能とし、ＰＣや携帯端末では利用させないといったホスト（再生装置）の種類に応じたコンテンツ利用制御を実行することなどが可能となる。
【手続補正１３】
【補正対象書類名】図面
【補正対象項目名】図１０
【補正方法】変更
【補正の内容】
【図１０】
2013037652.tif 000001
【手続補正１４】
【補正対象書類名】図面
【補正対象項目名】図１２
【補正方法】変更
【補正の内容】
【図１２】
2013037652.tif 000002
【手続補正１５】
【補正対象書類名】図面
【補正対象項目名】図１３
【補正方法】変更
【補正の内容】
【図１３】
2013037652.tif 000003
【手続補正１６】
【補正対象書類名】図面
【補正対象項目名】図２１
【補正方法】変更
【補正の内容】
【図２１】
2013037652.tif 000004